(57)【要約】【課題】製本時や流通時に破損することがなく、また書棚等での管理も容易であり、しかも価格的な観点から実使用が可能なＩＣタグ付き本を提供すること。【解決手段】背の綴じ部に貼り付けられたしおり紐を有する本Ｂであって、薄い紐状のＩＣタグ又はインレット１０をしおり紐９の途中に沿った状態で貼着した構成とする。ＩＣタグ又はインレット１０を貼着したしおり紐９を使用するだけでよいので、しおり紐を有する本でありさえすれば従来と全く同じ製本工程で作製することができる。また、しおり紐は本のページ間に挟んだ状態になるので、ＩＣタグ又はインレットがスピン入れに続く工程で破損したり、流通過程で破損したりすることがなく、ＩＣタグの信頼性が高いものとなる。しかも、大量生産による安価なＩＣタグ又はインレットをしおり紐に沿って貼着するだけであるので、コスト的に見ても実使用が可能である。【選択図】図２
2006305739.tif 000002
【特許請求の範囲】
【請求項１】
背の綴じ部に貼り付けられたしおり紐を有する本であって、薄い紐状のＩＣタグ又はインレットをしおり紐の途中に沿った状態で貼着したことを特徴とするＩＣタグ付き本。
【発明の詳細な説明】
【技術分野】
【０００１】
本発明は、書籍、雑誌等のいわゆる本の技術分野に属し、詳しくは、パッシブ型のＩＣタグを取り付けたＩＣタグ付き本に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、書籍、雑誌等の本にＩＣタグを付けることにより、万引き防止機能を付与するのみならず、流通過程において必要な情報の管理を行うようにしたものが提案されている。
【特許文献１】特開２００３−６３６５５号公報
【発明の開示】
【発明が解決しようとする課題】
【０００４】
上記した特許文献１に記載されている書籍、雑誌等の本は、背部の表紙内側にＩＣタグを備えた構造をしており、ＩＣタグが隠れて見えないという利点を有している。しかしながら、本の背側の所定位置にＩＣタグをセットする必要があるので作製が全く簡単であるとは言えず、また、本の背側というのは、製本の各工程においてセッティングの基準となる部位であって、工程毎に位置決め部材に突き当てられるため、ＩＣタグを取り付けた後の工程、例えば上製本の場合では、くるみ、イチョウプレス、カバー掛け、売上スリップの挿入などの工程で、背部の表紙内側にあるＩＣタグに外力が掛かって破損する恐れがある。さらに、流通時においても、本の背側に外力が掛かる場合が多々あり、ＩＣタグの信頼性が損なわれるという問題点がある。
【０００５】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このインレットを用いてタグ化することで、各種用途に応じた形態のＩＣタグを製造することができるようになっており、ＩＣタグの普及を図る上においてこの小さくて安価なインレットを利用することが望ましいという背景がある。
【０００６】
本発明は、上記のような問題点や事情に鑑みてなされたものであり、その目的とするところは、製本時や流通時に破損することがなく、また書棚等での管理も容易であり、しかも価格的な観点から実使用が可能なＩＣタグ付き本を提供することにある。
【課題を解決するための手段】
【０００７】
上記の目的を達成するため、本発明のＩＣタグ付き本は、背の綴じ部に貼り付けられたしおり紐を有する本であって、薄い紐状のＩＣタグ又はインレットをしおり紐の途中に沿った状態で貼着したことを特徴としている。
【発明の効果】
【０００８】
本発明のＩＣタグ付き本は、ＩＣタグ又はインレットを貼着したしおり紐を使用するだけでよいので、しおり紐（スピン）を有する本でありさえすれば従来と全く同じ製本工程で作製することができる。また、しおり紐は本のページ間に挟んだ状態になるので、ＩＣタグ又はインレットがスピン入れに続く工程で破損したり、流通過程で破損したりすることがなく、ＩＣタグの信頼性が高いものとなる。しかも、大量生産による安価なＩＣタグ又はインレットをしおり紐に沿って貼着するだけであるので、コスト的に見ても実使用が可能である。そして、しおり紐は通常背に近い位置にあるので、背側からのリーダ／ライタによるデータの遣り取りが難しくなることはない。また、ページ間で挟まれる位置は一定ではなくバラツキがあるので、複数の本を一括して読み取る場合には好都合である。
【発明を実施するための最良の形態】
【０００９】
以下、具体例を挙げて本発明の実施の形態について説明する。
【００１０】
図１は本発明に係るＩＣタグ付き本の一例を示す斜視図、図２は図１のＩＣタグ付き本を開いた状態で示す斜視図である。
【００１１】
これらの図に示すＩＣタグ付き本Ｂは、上製本に適用したものである。いわゆる上製本は、糸綴じした中身を丸背、角背又は角山に固め、別に表紙貼りした表紙を着せて仕上げる様式のことをいう。上製本には各部分にそれぞれ名称が付いており、１は表紙の背、２は表紙の平（ひら）、３は溝、４は耳、５はチリ、６は見返し、７は見返しの遊び、８は花ぎれ、９はしおり紐（スピン）である。また、ａは天、ｂは地、ｃは小口である。そして、図２に示すように、この上製本におけるしおり紐９にはその途中に沿った状態で薄い紐状をしたＩＣタグ用のインレット１０が貼着されている。
【００１２】
しおり紐９は上製本関係を中心にした製本資材の一つであり、スピンとも呼ばれるもので、主として、百科事典、豪華本、写真集、専門書等の上製本に用いられている。また、文庫や新書などのいわゆる並製本の一部にも用いられている。しおりは漢字で「枝折り」或いは「栞」と書き、木の枝を折って道しるべにする意味から転じて用いられるようになったものであり、広辞苑では「読みかけの書物に挟んで目印とする、短冊状の紙片やひも。古くは木片、竹片などでも作った。」と解説されている。素材的には、通常織られた糸を使用して作製されており、本の対角線長さに２０ｍｍを足した長さが標準である。色については各種のものが揃っており、出版社の編集者がそれらの見本の中から指定するようになっている。
【００１３】
インレット１０としては、図３に示すようなものが使用される。このインレット１０は、０．１〜１ｍｍ角の小さなＩＣチップ１１を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。この外部アンテナ１２付きのＩＣチップ１１は、アンテナ内蔵型のＩＣチップを用いたものよりは通信距離が長く、広い範囲で用いることができるものである。なお、本発明で使用するインレットは特に限定されるものでなく、種々のタイプのものが使用可能である。
【００１４】
このようなインレット１０は、印刷技術によりアンテナを作製することと、超音波接合技術により安価なフィルム素材を利用することで、大量生産でき、安価に供給することができる。
【００１５】
図１及び図２に示した上製本の製造工程は、まず、（１）突き揃え・断裁、（２）折り、（３）貼り込み、（４）丁合い、（５）かがり・均し、（６）下固め、（７）三方断裁、という中本作りの工程があり、次いで、（８）表紙貼り、（９）スピン入れ、（10）バッキング、（11）背貼り、（12）くるみ、（13）イチョウプレス、という上製本のラインがあり、最後には必要に応じてカバー掛けや売上スリップの挿入などがある。
【００１６】
このうち（９）のスピン入れは、リボン挿入機を使用して行われる。中本のほぼ真ん中を開いて、ここにロール状になったしおり紐９を、必要な長さにカットしてくるりと巻き込むようにして入れる。次に、背の上端にヒーターで熱を与え、下固めした時のエマルジョンを溶かして、しおり紐９の根元を接着する。そして、その上から花ぎれ８を貼り合わせ、図４に示す状態で中本の背上部に取り付ける。
【００１７】
図１及び図２に示すＩＣタグ付き本Ｂを製造するには、このスピン入れに際し、インレット１０を貼着したしおり紐９を使用する。すなわち、インレット１０を所定の間隔で貼着したしおり紐９をロール状に巻き取ったものを使用し、リボン挿入機により所定の長さにカットしながら順次中本の背上部に取り付けるようにする。この場合、検知器によりインレット１０のある場所を検知する。このようにしてスピン入れを行っていわゆる中本が完成する。この中本と表紙とを一体化させる上製本ラインにかけることでＩＣタグ付き本Ｂが出来上がるのである。なお、しおり紐９の幅は、使用するインレット１０の幅以上であることが望ましい。
【００１８】
また、本発明のＩＣタグ付き本は、上記で説明したようなインレットを貼着するものの他に、ＩＣタグそのものをしおり紐の途中に貼着したものでもよい。この場合、細くて薄いテープ状のＩＣタグを使用すればよい。
【００１９】
以上、具体例を挙げて本発明を説明したが、本発明によるＩＣタグ付き本は、上記の例に何ら限定されるものではなく、本発明の趣旨を逸脱しない範囲において種々の変更が可能であることは当然のことである。
【００２０】
例えば、上記の例では一つの上製本に適用した例を挙げたが、しおり紐を有する本であればその製本様式は問わない。すなわち、本発明のＩＣタグ付き本は、並製本やその他の上製本であってもよく、綴じ方式としてはかがり綴じ、無線綴じが挙げられる。
【図面の簡単な説明】
【００２１】
【図１】本発明に係るＩＣタグ付き本の一例を示す斜視図である。
【図２】図１のＩＣタグ付き本を開いた状態で示す斜視図である。
【図３】本発明で使用するインレットの一例を示す平面図である。
【図４】中本の背上部にしおり紐を取り付けた状態を示す説明図である。
【符号の説明】
【００２２】
Ｂ  ＩＣタグ付き本
１  背
２  平（ひら）
３  溝
４  耳
５  チリ
６  見返し
７  見返しの遊び
８  花ぎれ
９  しおり紐（スピン）
１０  インレット
１１  ＩＣチップ
１２  外部アンテナ
１３  ベースフィルム
１４  スリット
ａ  天
ｂ  地
ｃ  小口
【図１】
2006305739.tif 000003
【図２】
2006305739.tif 000004
【図３】
2006305739.tif 000005
【図４】
2006305739.tif 000006